(57)【要約】【課題】削除される文字を容易に認識することができる利便性の高い携帯端末装置及び表示方法を提供する。【解決手段】携帯端末装置１は、ユーザに操作されるキー操作部１６と、キー操作部１６の操作によって入力された文字列を表示する表示部１４とを備える。この携帯端末装置１は、文字の操作位置を示すカーソルＣを表示し、カーソルＣの表示位置と表示部１４に表示される文字列との位置関係に応じてカーソルＣの形状を変化させ、或いは色を変化させてカーソルＣの表示を変更する。【選択図】図３
2008245177.tif 000002
【特許請求の範囲】
【請求項１】
ユーザに操作されるキー操作部と、前記キー操作部の操作によって入力された文字列を表示する表示部とを備える携帯端末装置において、
文字の操作位置を示すカーソルを表示し、当該カーソルの表示位置と前記表示部に表示される文字列との位置関係に応じて前記カーソルの表示を変更する表示制御部を備えることを特徴とする携帯端末装置。
【請求項２】
前記キー操作部は、前記カーソルの一方側に表示される文字の削除と他方側に表示される文字の削除とが共用される削除キーを備えることを特徴とする請求項１記載の携帯端末装置。
【請求項３】
前記表示制御部は、前記カーソルの表示位置と前記表示部に表示される文字列との位置関係に応じて前記カーソルの形状を変更することを特徴とする請求項１又は請求項２記載の携帯端末装置。
【請求項４】
前記表示制御部は、前記カーソルの表示位置と前記表示部に表示される文字列との位置関係に応じて前記カーソルの色を変更することを特徴とする請求項１から請求項３の何れか一項に記載の携帯端末装置。
【請求項５】
前記表示制御部は、前記表示部に表示された文字列の末尾に前記カーソルが表示されている場合には、前記カーソルの一方側に表示される文字の削除が可能である旨を示す第１部分を前記カーソルに付加した表示を行うことを特徴とする請求項３又は請求項４記載の携帯端末装置。
【請求項６】
前記表示制御部は、前記表示部に表示された文字列中に前記カーソルが表示されている場合には、前記カーソルの他方側に表示される文字の削除が可能である旨を示す第２部分を前記カーソルに付加した表示を行うことを特徴とする請求項３又は請求項４記載の携帯端末装置。
【請求項７】
前記表示制御部は、前記キー操作部の操作による文字入力が可能な場合には、文字入力が可能である旨を示す第３部分を前記カーソルに付加した表示を行うことを特徴とする請求項３から請求項６の何れか一項に記載の携帯端末装置。
【請求項８】
表示装置に表示される文字の操作位置を示すカーソルの表示方法であって、
前記表示装置に表示される文字列と前記カーソルの表示位置との位置関係に応じて前記カーソルの表示を変更することを特徴とする表示方法。
【請求項９】
前記表示装置に表示される文字列と前記カーソルの表示位置との位置関係に応じて前記カーソルの形状を変更することを特徴とする請求項８記載の表示方法。
【請求項１０】
前記表示装置に表示される文字列と前記カーソルの表示位置との位置関係に応じて前記カーソルの色を変更することを特徴とする請求項８又は請求項９記載の表示方法。
【発明の詳細な説明】
【技術分野】
【０００１】
本発明は、携帯端末装置及び表示方法に関する。
【背景技術】
【０００２】
従来、文字入力はキーボードを備える据え置き型のパーソナルコンピュータやワードプロセッサで行われるのが一般的であった。しかしながら、近年においては、携帯電話機、携帯ゲーム機器、携帯音楽プレーヤー等の携帯端末装置が多機能化しており、携帯端末装置での文字入力も一般化している。例えば、電子メール機能を備える携帯電話機においては、ユーザが携帯電話機に設けられたテンキー等を操作することにより電子メールの本文の入力が行われている。
【０００３】
以下の特許文献１には、キーボードを備えるワードプロセッサを用いて文書の入力又は編集を行う場合において、ユーザによって文字サイズが変更されたときには、文書の入力位置を示すカーソルのサイズを変更して表示することで、文書入力を容易にする技術が開示されている。
【特許文献１】特開平５−１２２７３号公報
【発明の開示】
【発明が解決しようとする課題】
【０００４】
ところで、パーソナルコンピュータ等が備えるキーボードには、デリート（Delete）キーとバックスペース（Back Space）キーとが設けられているのが一般的である。ここで、カーソル（キャレット）が縦棒状の形状であって文字と文字との間に表示される場合には、デリートキーはカーソルの次の文字を削除するために用いられ、バックスペースキーはカーソルの前の文字を削除するために用いられる。
【０００５】
尚、文字入力方向が左側から右側に向かう方向である場合には、上記の「カーソルの前の文字」はカーソルの左側に表示されている文字であり、上記の「カーソルの次の文字」はカーソルの右側に表示されている文字である。また、文字入力方向が上側から下側に向かう方向である場合には、上記の「カーソルの前の文字」はカーソルの上側に表示されている文字であり、上記の「カーソルの次の文字」はカーソルの下側に表示されている文字である。このように、キーボードを用いて文字入力を行う場合には、ユーザはカーソルの前の文字と次の文字を削除する場合とでデリートキーとカーソルキーとを使い分けることができる。
【０００６】
しかしながら、携帯電話機に代表される携帯端末装置では、キーの数が制約されるため、バックスペースキーとデリートキーとが１つのキーで共用されるものが殆どである。このため、そのキーを用いて文字を削除しようとした場合に、カーソルの前の文字が削除されるのか又はカーソル次の文字が削除されるのかが直感的に分かり難かった。よって、ユーザがある文字を削除しようとしたときに、意図しない文字が削除されてしまって文字の再入力等が必要になり、利便性が高いとは言い難い状況であった。
【０００７】
本発明は、上記事情に鑑みてなされたものであり、削除される文字を容易に認識することができる利便性の高い携帯端末装置及び表示方法を提供することを目的とする。
【課題を解決するための手段】
【０００８】
上記課題を解決するために、本発明の携帯端末装置は、ユーザに操作されるキー操作部と、前記キー操作部の操作によって入力された文字列を表示する表示部とを備える携帯端末装置において、文字の操作位置を示すカーソルを表示し、当該カーソルの表示位置と前記表示部に表示される文字列との位置関係に応じて前記カーソルの表示を変更する表示制御部を備えることを特徴としている。
また、本発明の携帯端末装置は、前記キー操作部が、前記カーソルの一方側に表示される文字の削除と他方側に表示される文字の削除とが共用される削除キーを備えることを特徴としている。
また、本発明の携帯端末装置は、前記表示制御部が、前記カーソルの表示位置と前記表示部に表示される文字列との位置関係に応じて前記カーソルの形状を変更することを特徴としている。
また、本発明の携帯端末装置は、前記表示制御部が、前記カーソルの表示位置と前記表示部に表示される文字列との位置関係に応じて前記カーソルの色を変更することを特徴としている。
また、本発明の携帯端末装置は、前記表示制御部が、前記表示部に表示された文字列の末尾に前記カーソルが表示されている場合には、前記カーソルの一方側に表示される文字の削除が可能である旨を示す第１部分を前記カーソルに付加した表示を行うことを特徴としている。
また、本発明の携帯端末装置は、前記表示制御部が、前記表示部に表示された文字列中に前記カーソルが表示されている場合には、前記カーソルの他方側に表示される文字の削除が可能である旨を示す第２部分を前記カーソルに付加した表示を行うことを特徴としている。
更に、本発明の携帯端末装置は、前記表示制御部が、前記キー操作部の操作による文字入力が可能な場合には、文字入力が可能である旨を示す第３部分を前記カーソルに付加した表示を行うことを特徴としている。
本発明の表示方法は、表示装置に表示される文字の操作位置を示すカーソルの表示方法であって、前記表示装置に表示される文字列と前記カーソルの表示位置との位置関係に応じて前記カーソルの表示を変更することを特徴としている。
また、本発明の表示方法は、前記表示装置に表示される文字列と前記カーソルの表示位置との位置関係に応じて前記カーソルの形状を変更することを特徴としている。
更に、本発明の表示方法は、前記表示装置に表示される文字列と前記カーソルの表示位置との位置関係に応じて前記カーソルの色を変更することを特徴としている。
【発明の効果】
【０００９】
本発明によれば、カーソルの表示位置と表示部に表示される文字列との位置関係に応じてカーソルの表示を変更しているため、ユーザは削除される文字を容易に認識することができ、ユーザの利便性を向上させることができるという効果がある。
【発明を実施するための最良の形態】
【００１０】
以下、図面を参照して本発明の一実施形態による携帯端末装置及び表示方法について詳細に説明する。図１は、本発明の一実施形態による携帯端末装置１の外観を示す斜視図である。尚、本実施形態では、携帯端末装置１が携帯電話機である場合を例に挙げて説明する。図１に示す通り、本実施形態の携帯端末装置１は、第一筐体１１、第一筐体１１の厚さ方向に重ね合わせ可能な第二筐体１２、及び第一筐体１１と第二筐体１２とを相互に折り畳み自在に連結するヒンジ部１３を備えている。ヒンジ部１３は、第一筐体１１の基端部１１ａと第二筐体１２の基端部１２ａとを連結するように配されている。
【００１１】
第二筐体１２の内部には、各種情報を表示する表示領域１４ａを有するＬＣＤ（Liquid Crystal Display：液晶表示装置）又はＥＬ（Electro Luminescence：有機ＥＬ）ディスプレイ等からなる表示部１４及び通話用のスピーカ１５が設けられている。表示部１４の表示領域１４ａは、第一筐体１１と第二筐体１２とを相互に重ね合わせた状態において第一筐体１１に対向する第二筐体１２の表面１２ｃ側に露出している。スピーカ１５は、基端部１２ａとは反対側に位置する第二筐体１２の先端部１２ｂに配されており、第二筐体１２の表面１２ｃから第二筐体１２の内部空間に貫通する開口部１２ｄを介して外方に露出している。
【００１２】
第一筐体１１の内部には、テンキー１６ａ、通話キー１６ｂ、終話キー１６ｃ、多方向キー１６ｄ、及びソフトキー１６ｅ〜１６ｇ等の各種の押下操作可能な複数の操作キーを備えるキー操作部１６及び通話用のマイクロフォン１７が設けられている。尚、テンキー１６ａの１つのキーとして、入力文字の削除を行うクリアキー１８（削除キー）が設けられている。このクリアキー１８は、文字の操作位置を示すカーソルＣ（図３参照）の一方側に表示される文字の削除、或いは他方側に表示される文字の削除を行うときに使用されるキーである。キー操作部１６は、第一筐体１１と第二筐体１２とを相互に重ね合わせた状態において第二筐体１２に対向する第一筐体１１の表面１１ｃから外方に露出している。
【００１３】
マイクロフォン１７は、基端部１１ａとは反対側に位置する第一筐体１１の先端部１１ｂに配されており、第一筐体１１の表面１１ｃから第一筐体１１の内部空間に貫通する開口部１１ｄを介して外方に露出している。尚、第一筐体１１の内部には、キースイッチ、シールドケース、回路基板（何れも不図示）、及びバッテリー２３（図２参照）等が重ねて配されている。また、第一筐体１１内部の先端部１１ｂ側には、無線通信用のアンテナ２１（図２参照）が収容されている。
【００１４】
図２は、本発明の一実施形態による携帯端末装置１の要部構成を示すブロック図である。図２に示す通り、携帯端末装置１は、図１を用いて説明したスピーカ１５、マイクロフォン１７、キー操作部１６、及び表示部１４に加えて、アンテナ２１、無線通信部２２、バッテリー２３、電源制御部２４、メモリ２５、及びこれらを統括的に制御する制御部２６等を備えている。
【００１５】
ここで、無線通信部２２は、アンテナ２１を介して基地局（図示省略）との間で無線信号の送受信を行うことで、他の携帯電話機等との間の通話や、電子メールの送受信やホームページの閲覧等を実現するものである。電源制御部２４は、バッテリー２３の充電及び放電を制御するものである。メモリ２５は、文字、記号、画像等の各種情報や携帯端末装置１の各種機能を実現するプログラムを記憶するものである。尚、メモリ２５内には、ユーザがキー操作部１６を操作して文字等の入力を行う場合の文字列バッファＢが設けられる。
【００１６】
制御部２６は、表示制御部３１及びバッファ監視部３２を備える。表示制御部３１は、表示部１４の表示領域１４ａに表示させる画像（写真、文字情報等）の表示制御を行う。また、ユーザがキー操作部１６を操作して文字の入力、編集等（以下、これらを総称する場合には「文字の操作」という）を行う場合に、その文字の入力位置、編集位置（操作位置）を示すカーソル（キャレット）の表示を変更する表示制御を行う。尚、カーソルの表示制御の詳細については後述する。バッファ監視部３２は、メモリ２５内に設けられた文字列バッファＢの空き領域及び文字列バッファＢに格納されている文字列の文字数を監視する。
【００１７】
図３は、本発明の一実施形態による携帯端末装置１の文字入力画面が表示された状態を示す正面図である。図３に示す通り、ユーザが文字の入力を行う場合、或いは既に入力されている文字の編集を行う場合には、表示部１４の表示領域１４ａに文字入力欄Ｒが表示される。図３に示す例では、文字入力方向が左側から右側に向かう方向であって、１４文字からなる文字列「あいうえおかきくけこさしすせ」が文字入力欄Ｒに入力されている例を図示している。この文字入力欄Ｒには文字の操作位置を示すカーソルＣも表示される。このカーソルＣは、図２に示す表示制御部３１の制御によって、文字入力欄Ｒに表示されている文字列との位置関係に応じて形状が変化する。
【００１８】
図４は、本発明の一実施形態による携帯端末装置１の表示部１４に表示されるカーソルＣの拡大図である。図４に示す通り、カーソルＣは縦棒状の縦バー部Ｃ０を基本形状とし、文字と文字との間に表示される。尚、図４において、符号Ｐ１を付した矩形領域はカーソルＣの左側に表示される文字（「カーソルの前の文字」）の表示領域を示しており、符号Ｐ２を付した矩形領域はカーソルＣの右側に表示される文字（「カーソルの次の文字」）の表示領域を示している。
【００１９】
文字列バッファＢに空き領域がある場合（文字入力が可能な場合）には、上記の縦バー部Ｃ０に加えて、文字入力が可能である旨を示し、縦バー部Ｃ０の上端部から文字入力方向に延びる上端横バー部Ｃ１３（第３部分）が表示される。かかる表示は、表示制御部３１がバッファ監視部３２の監視結果に基づいて行う。この上端横バー部Ｃ１３が表示されることにより、ユーザは、文字入力が可能であることを直感的に理解することができる。尚、文字列バッファＢの空き領域が無い場合には、上端横バー部Ｃ１３の表示はなされない。
【００２０】
文字入力欄Ｒに表示された文字列の末尾にカーソルＣが表示されている場合には、上記の縦バー部Ｃ０に加えて、カーソルの前の文字（表示領域Ｐ１に表示されている文字）の削除が可能である旨を示し、縦バー部Ｃ０の下端部から文字入力方向とは逆方向に延びる下端横バー部Ｃ１１（第１部分）が表示される。これに対し、文字入力欄Ｒに表示された文字列中（文字列の途中）にカーソルＣが表示されている場合には、上記の縦バー部Ｃ０に加えて、カーソルの次の文字（表示領域Ｐ２に表示されている文字）の削除が可能である旨を示し、縦バー部Ｃ０の下端部から文字入力方向に延びる下端横バー部Ｃ１２（第２部分）が表示される。
【００２１】
下端横バー部Ｃ１１，Ｃ１２の表示は、表示制御部３１が、カーソルＣの表示位置の監視結果と、バッファ監視部３２による文字列バッファＢに格納されている文字列の文字数の監視結果とに基づいて行う。下端横バー部Ｃ１１が表示された場合には、ユーザはクリアキー１８（図１，図３参照）を押下すればカーソルＣの前の文字（表示領域Ｐ１に表示されている文字）を削除することができ、下端横バー部Ｃ１２が表示された場合には、クリアキー１８を押下すればカーソルＣの次の文字（表示領域Ｐ２に表示されている文字）を削除することができることを直感的に理解することができる。尚、文字が入力されていない場合には、下端横バー部Ｃ１１，Ｃ１２の表示はなされない。
【００２２】
次に、本実施形態の携帯端末装置１を用いた文字入力の具体例について説明する。図５は、文字入力時の文字入力欄Ｒの表示例を示す図である。まず、ユーザが携帯端末装置１のキー操作部１６を操作して文字入力指示を行うと、表示部１４の表示領域１４ａに、図５（ａ）に示す文字入力欄Ｒが表示される。ここでは、文字入力がなされていないため、表示制御部３１は、バッファ監視部３２の監視結果に基づいて、図５（ａ）に示す通り、縦バー部Ｃ０と上端横バー部Ｃ１３とからなるカーソルＣを表示する。カーソルＣに上端横バー部Ｃ１３が表示されているため、ユーザは、文字入力が可能であることを直感的に理解することができる。
【００２３】
次に、ユーザがテンキー１６ａを操作して３文字からなる文字列「あいう」を入力したとする。すると、文字入力欄Ｒの表示は、図５（ｂ）に示す通り、入力された文字列「あいう」と、その文字列の末尾にカーソルＣが表示される。ここでは、文字列バッファＢに空き領域があり、且つカーソルＣが文字列「あいう」の末尾に表示されているため、表示制御部３１は、縦バー部Ｃ０、上端横バー部Ｃ１３、及び下端横バー部Ｃ１１からなるカーソルＣを表示する。カーソルＣに上端横バー部Ｃ１３が表示されているため、ユーザは、文字入力が可能であり、且つカーソルＣの前の文字が削除可能であることを直感的に理解することができる。ここで、仮にユーザがクリアキー１８を１回押下したとすると、カーソルＣ０の前の文字である文字「う」が削除される。
【００２４】
また、文字入力欄Ｒに図５（ｂ）に示す通りの表示がなされている場合に、ユーザが多方向キー１６ｄを操作して、カーソルＣを文字「い」と文字「う」との間に移動させたとすると、カーソルＣの形状が図５（ｃ）に示す通りの形状に変化する。ここでは、文字列バッファＢに空き領域があり、且つカーソルＣが文字列「あいう」の途中に表示されているため、表示制御部３１は、縦バー部Ｃ０、上端横バー部Ｃ１３、及び下端横バー部Ｃ１２からなるカーソルＣを表示する。
【００２５】
カーソルＣに上端横バー部Ｃ１３が表示されているため、ユーザは、文字入力が可能であり、且つカーソルＣの次の文字が削除可能であることを直感的に理解することができる。ここで、仮にユーザがクリアキー１８を１回押下したとすると、カーソルＣ０の次の文字である文字「う」が削除されることになる。尚、カーソルＣ０の次の文字である文字「う」を削除すると、カーソルＣは文字列「あい」の末尾に位置することになるため、再び図５（ｂ）に示す縦バー部Ｃ０、上端横バー部Ｃ１３、及び下端横バー部Ｃ１１からなるカーソルＣに変化する。
【００２６】
次に、ユーザが文字入力を行って文字列バッファＢの空きが無くなったとする。すると、表示制御部３１は、図５（ｄ）に示す通り、縦バー部Ｃ０及び下端横バー部Ｃ１１からなるカーソルＣを表示する。即ち、表示制御部３１は、文字列バッファＢに空き領域が無いため上端横バー部Ｃ１３の表示は行わず、カーソルＣが入力された文字列の末尾に表示されているため下端横バー部Ｃ１１を表示する。かかる表示により、ユーザは、文字入力が不可能であり、且つカーソルＣの前の文字が削除可能であることを直感的に理解することができる。ここで、仮にユーザがクリアキー１８を１回押下したとすると、カーソルＣ０の前の文字である文字「ん」が削除される。
【００２７】
また、文字入力欄Ｒに図５（ｄ）に示す通りの表示がなされている場合に、ユーザが多方向キー１６ｄを操作して、カーソルＣを文字「を」と文字「ん」との間に移動させたとすると、カーソルＣの形状が図５（ｅ）に示す通りの形状に変化する。ここでは、文字列バッファＢに空き領域が無く、且つカーソルＣが文字列の途中に表示されているため、表示制御部３１は、縦バー部Ｃ０及び下端横バー部Ｃ１２からなるカーソルＣを表示する。この表示により、ユーザは、ユーザは、文字入力は不可能であるが、クリアキー１８を押下すれば、カーソルＣの次の文字である文字「ん」が削除可能であることを直感的に理解することができる。
【００２８】
以上説明した通り、本発明の一実施形態による携帯端末装置及び表示方法によれば、カーソルＣの表示位置と文字入力欄Ｒに表示される文字列との位置関係に応じて下端横バー部Ｃ１１，Ｃ１２を表示してカーソルＣの表示を変更しているため、ユーザは削除される文字を容易に認識することができる。つまり、下端横バー部Ｃ１１が表示されている場合にクリアキー１８を押下するとカーソルＣの前の文字が削除され、下端横バー部Ｃ１２が表示されている場合にクリアキー１８を押下するとカーソルＣの次の文字が削除されるのを直感的に認識することができるため、意図しない文字が削除されるといった不具合を防止することができユーザの利便性を向上させることができる。
【００２９】
以上、本発明の一実施形態による携帯端末装置及び表示方法について説明したが、本発明は上記実施形態に制限されず、本発明の範囲内で自由に変更が可能である。例えば、上記実施形態では、縦バー部Ｃ０の上端に上端横バー部Ｃ１３を表示し、下端に下端横バー部Ｃ１１，Ｃ１２を表示することでカーソルＣの形状を変更していたが、形状の変更方法は上記実施形態に制限されることはない。例えば、上端横バー部Ｃ１３及び下端横バー部Ｃ１２に変えて文字入力方向を指し示す矢印を縦バー部Ｃ０の上端及び下端にそれぞれ表示し、下端横バー部Ｃ１１に変えて文字入力とは逆の方向を指し示す矢印を縦バー部Ｃ０の下端に表示しても良い。
【００３０】
また、上記実施形態では、カーソルの形状を変更する場合について説明したが、カーソルの色を変更するようにしても良い。更には、カーソルの形状の変更とともにカーソルの色の変更を行うようにしても良い。例えば、上記の実施形態において、下端横バー部Ｃ１１を水色表示し下端横バー部Ｃ１２を赤色表示するといった具合である。
【００３１】
また、上記実施形態では、文字入力方向が左側から右側に向かう方向である場合を例に挙げて説明したが、本発明は、文字入力方向が上側から下側に向かう方向である場合にも適用が可能である。更に、上記実施形態では、携帯端末装置１が携帯電話機である場合を例に挙げて説明したが、本発明は携帯ゲーム機器、携帯音楽プレーヤー等の携帯端末装置一般に適用することができる。
【図面の簡単な説明】
【００３２】
【図１】本発明の一実施形態による携帯端末装置１の外観を示す斜視図である。
【図２】本発明の一実施形態による携帯端末装置１の要部構成を示すブロック図である。
【図３】本発明の一実施形態による携帯端末装置１の文字入力画面が表示された状態を示す正面図である。
【図４】本発明の一実施形態による携帯端末装置１の表示部１４に表示されるカーソルＣの拡大図である。
【図５】文字入力時の文字入力欄Ｒの表示例を示す図である。
【符号の説明】
【００３３】
１                携帯端末装置
１４              表示部
１６              キー操作部
１８              クリアキー
３１              表示制御部
Ｃ１１，Ｃ１２    下端横バー部
Ｃ１３            上端横バー部
【図１】
2008245177.tif 000003
【図２】
2008245177.tif 000004
【図３】
2008245177.tif 000005
【図４】
2008245177.tif 000006
【図５】
2008245177.tif 000007